(57)【特許請求の範囲】
【請求項１】
カートリッジ本体の前面側を回動軸で開閉自在としたリッド又は該リッドと、摺動軸で摺動自在に設けられた上蓋を有する記録媒体用カートリッジを収納する、本体と、前記本体と連結される蓋体とを具備した収納ケースであって、前記収納ケースの本体の左右両側壁内側へ突出する位置規制リブを設け、該位置規制リブの位置を、前記カートリッジを次の（１）から（４）のうち、いずれの方向で前記収納ケースの本体に収納したときであっても、カートリッジのリッドの回動軸及び／又は上蓋の摺動軸と、カートリッジ本体の両側壁にそれぞれ対向する位置となり、且つ、次の（１）から（４）のうち、いずれの方向であっても、前記カートリッジを収納することができることを特徴とするカートリッジ収納ケース。
（１）カートリッジ本体の底面が、収納ケースの本体の底壁に対面し、且つ、カートリッジ本体の前面側が前記本体と前記蓋体との連結側に向いた方向。
（２）カートリッジ本体の底面が、収納ケースの本体の底壁に対面し、且つ、カートリッジ本体の後面側が前記本体と前記蓋体との連結側に向いた方向。
（３）カートリッジ本体の底面が、収納ケースの蓋体の上壁に対面し、且つ、カートリッジ本体の前面側が前記本体と前記蓋体との連結側に向いた方向。
（４）カートリッジ本体の底面が、収納ケースの蓋体の上壁に対面し、且つ、カートリッジ本体の後面側が前記本体と前記蓋体との連結側に向いた方向。
【発明の詳細な説明】
【０００１】
【発明の属する技術分野】
本発明は、記録媒体用のカートリッジ収納ケースに関するものであり、特に、カートリッジの側壁に対向するカートリッジ収納ケースの周壁に収納ケースの内側へ突出する凸部が形成され、該凸部がリッドの回動軸及び／又は上蓋の摺動軸に対抗する位置に配置されたカートリッジ収納ケースに関するものであり、凸部及び凸部付近のカートリッジ収納ケース周壁、リッド側壁、上蓋側壁及びカートリッジの変形や破壊を防止して、カートリッジを確実に保持することができるカートリッジ収納ケースに関する。
【０００２】
【従来の技術】
カートリッジ収納ケースに収納されるカートリッジが、側壁にリッドの回動軸を有するカートリッジ、又はリッドの回動軸と上蓋の摺動軸を有するカートリッジであり、且つカートリッジ収納ケースの凸部が位置規制リブである場合を例に説明する。尚、従来のカートリッジ収納ケースにリッド回動軸を有するカートリッジが収納された状態を図１４と図１５に模式的に示す。
【０００３】
前記カートリッジは、例えば、記録媒体用カートリッジであって、磁気テープなどの記録媒体の表面に埃などの異物が付着したり、記録媒体そのものが損傷したりするのを防止するために、以下のような構造をしている。すなわち、磁気テープを巻装した一対のリールを収納するカートリッジ本体の前面に前面開口を有し、カートリッジ本体の底面には前面開口に接続された底面開口を設けてあり、磁気テープを前面開口に沿って掛け渡してある。更に、カートリッジ本体の前面側を回動軸で開閉自在としたリッド又は該リッドと、摺動軸で摺動自在に設けられた上蓋を有する。このリッドがカートリッジ本体の上面側に回動されると、あるいは上蓋が摺動されてリッドがカートリッジ本体の上面側に回動されると、前面開口に沿って掛け渡された磁気テープが露呈される。
【０００４】
リッドの回動軸を有するカートリッジ、又はリッド回動軸と上蓋の摺動軸を有するカートリッジでは、カートリッジ本体に対して、リッドが回動する際又は上蓋が摺動してリッドが回動する際の妨げにならないように、カートリッジ本体側壁の外側とリッド側壁内側、及びカートリッジ本体側壁の外側と上蓋側壁内側との間には、空隙が設けられており、カートリッジ側壁とリッド側壁、及びカートリッジ側壁と上蓋側壁は、密着しないように構成されている。この際、空隙を設ける手段として、例えば、所望の空隙が確保できるように、カートリッジ本体の外寸とリッドの内寸を設定する方法及びカートリッジ本体の外寸と上蓋の内寸を設定する方法、あるいはリッドの回動軸及び上蓋の摺動軸に段差を設けて軸の外径を部分的に大きくし、段差部がカートリッジ側壁の外側に接することで空隙を確保する方法など様々な手段がある。
【０００５】
また、リッド及び上蓋の側壁部分には、リッドの不用意な回動を防止するためのロック機構及び上蓋の不用意な摺動を防止するためのロック機構や、非使用時に、リッドを閉方向へ保持するための付勢機構及び上蓋を閉方向へ保持するための付勢機構などが具備されており、カートリッジ本体とリッド側壁、及びカートリッジ本体と上蓋側壁との間には空間が設けられている。しかし、このような空隙や空間が存在する場合でも、回動軸及び摺動軸の部分は、その動作を確実に行なわせるために、カートリッジ本体と確実に接する部分を有し、且つ十分な強度が確保されている。
【０００６】
カートリッジ本体とリッド側壁、及びカートリッジ本体と上蓋側壁との間に空隙や空間が存在する前記カートリッジに対して、カートリッジ収納ケースに入れた状態での落下などによって、位置規制リブがカートリッジ本体の側壁に当接し、リッド側壁及び上蓋側壁を除いたカートリッジの側壁に衝撃的な荷重が作用する場合を想定する。
【０００７】
例えば、特開平８−２８２７７１号に示されるように、リッド側壁及び上蓋側壁に対向する位置にカートリッジ収納ケースの位置規制リブが配置されていない場合、リッド及び上蓋はカートリッジ本体との間の空隙や空間の範囲内で移動する（ガタツキがある）ことが可能な状態である。この時に作用する衝撃的な荷重は、リッド及び／又は上蓋に対してガタツキの範囲から逸脱させる力として作用する。この際、リッド及び上蓋の側壁はカートリッジ収納ケースの位置規制リブによって有効に支えられていないので、リッド側壁そのもの、上蓋側壁そのものあるいはリッド側壁からカートリッジ前面開口側へ回り込むコーナー部分などに、クラックや破損を生じさせるという問題があった。
【０００８】
また、荷重がリッド側壁及び上蓋側壁を除いた範囲のカートリッジ側壁に対向している位置規制リブにのみ集中することになり、リブ一個所当たりにかかる荷重が大きくなる。この荷重によって、リブそのもの、リブの根元付近のカートリッジ収納ケース周壁あるいはカートリッジの本体が破損するなどの問題があった。更に、この問題を回避するために、リブの数を増やしてリブ一個所当たりにかかる荷重を減らすような対策を実施する場合には、カートリッジ収納ケースの構造が複雑になるという弊害が生じた。
【０００９】
次に、前記カートリッジ本体とリッド側壁、及び前記カートリッジ本体と上蓋側壁との間に空隙や空間が存在するカートリッジに対して、カートリッジ収納ケースに入れた状態での落下などによって、位置規制リブがリッド側壁又は上蓋側壁に当接し、リッド側壁又は上蓋側壁に衝撃的な荷重が作用する場合を想定する。
【００１０】
例えば、実用新案登録第２５５７３５３号、あるいは実用新案登録第２５９７９１１号などに示されるように、リッド側壁に対向するカートリッジ収納ケースの位置規制リブが、リッドの回動軸及び上蓋の摺動軸を含まない位置に配置されている場合を考える。この場合、リッド側壁又は上蓋側壁に対向するカートリッジ収納ケースの位置規制リブが、リッド側壁又は上蓋側壁に当接し、この際作用する荷重が前記空隙や空間の範囲でリッド側壁又は上蓋側壁を撓ませ、変形や破壊を引き起こすという問題があった。更に、この問題を回避するために、リッド側壁又は上蓋側壁の板厚を厚くしたり、リッド側壁又は上蓋側壁に補強リブを設けたりする対策を実施する場合には、カートリッジの外形が大きくなったり、あるいはカートリッジ内部の記録媒体収納スペースが小さくなってしまうなどの弊害が生じた。
【００１１】
【発明が解決しようとする課題】
カートリッジ収納ケースに、リッドを有するカートリッジ又はリッドと上蓋を有するカートリッジを収納した状態で、カートリッジ収納ケースに落下などの衝撃的な荷重が加わった場合、カートリッジ収納ケースの位置規制リブによって、リッド側壁又は上蓋側壁に変形や破壊を引き起こすという問題がある。この問題を解決するために、カートリッジ収納ケースの側壁に取り付けるリブの本数を増やしたり、リッド側壁又は上蓋側壁の板厚を厚くしたり、あるいはリッド側壁又は上蓋側壁に補強リブを設けたりするなどの対策が考えられるが、それぞれカートリッジ収納ケースの構造が複雑になる、カートリッジの外形が大きくなるあるいはカートリッジ内部の記録媒体収納スペースが小さくなるなどの弊害が生じる。
【００１２】
本発明は、前記の従来の技術における問題点を解決するためになされたもので、本発明が解決しようとする課題は、カートリッジ収納ケースの位置規制リブによってリッド側壁又は上蓋側壁に荷重が作用した場合に、リッド側壁又は上蓋側壁が変形あるいは破壊するのを防止することを目的としたものである。
【００１３】
【課題を解決するための手段】
本発明は、カートリッジ本体の前面側を回動軸で開閉自在としたリッド又は該リッドと、摺動軸で摺動自在に設けられた上蓋を有する記録媒体用カートリッジを収納する、本体と、前記本体と連結される蓋体とを具備した収納ケースであって、前記収納ケースの本体の左右両側壁内側へ突出する位置規制リブを設け、該位置規制リブの位置を、前記カートリッジを次の（１）から（４）のうち、いずれの方向で前記収納ケースの本体に収納したときであっても、カートリッジのリッドの回動軸及び／又は上蓋の摺動軸と、カートリッジ本体の両側壁にそれぞれ対向する位置となり、且つ、次の（１）から（４）のうち、いずれの方向であっても、前記カートリッジを収納することができることを特徴とするカートリッジ収納ケースである。
（１）カートリッジ本体の底面が、収納ケースの本体の底壁に対面し、且つ、カートリッジ本体の前面側が前記本体と前記蓋体との連結側に向いた方向。
（２）カートリッジ本体の底面が、収納ケースの本体の底壁に対面し、且つ、カートリッジ本体の後面側が前記本体と前記蓋体との連結側に向いた方向。
（３）カートリッジ本体の底面が、収納ケースの蓋体の上壁に対面し、且つ、カートリッジ本体の前面側が前記本体と前記蓋体との連結側に向いた方向。
（４）カートリッジ本体の底面が、収納ケースの蓋体の上壁に対面し、且つ、カートリッジ本体の後面側が前記本体と前記蓋体との連結側に向いた方向。
【００１４】
【発明の実施の形態】
以下、本発明の実施の形態について説明する。この際、カートリッジ収納ケースの形態は、リッド側壁に対向する周壁を有する形態であれば良く、詳細な構造を特に限定するものではない。例えば、蓋体が本体に対して相対的に回転することによって開閉を行いカートリッジを出し入れする形態（回転開閉式）、あるいはカートリッジ収納ケースの周壁の一部にカートリッジを出し入れする開口を有し、カートリッジを挿入により出し入れする形態（挿入式）でも良い。更に、回転開閉式の場合は、別体の本体と蓋体を回動軸部で組み立てて、蓋体と本体が回動軸を中心に回転して開閉を行なう形態（別体式）、あるいは一体の本体と蓋体が、ヒンジ部などの回動連接部を中心に回転して開閉を行なう形態（ヒンジ式）でも良い。
【００１５】
カートリッジ収納ケースの内寸は、カートリッジの外形寸法に合わせて設定されているが、例えばカートリッジ収納ケースの周壁が内側へ傾倒した場合でも、カートリッジの出し入れなどに支障が生じないように、周壁をカートリッジの外形から所定の量だけ離れた位置に配置し、周壁が内側へ傾倒してもカートリッジの外形寸法よりも大きな開口が得られる寸法に設定されている。その際、カートリッジがカートリッジ収納ケースの中で必要以上に移動しないように、適宜位置規制リブを設けている。カートリッジ収納ケースの周壁が内側へ傾倒した状況下においては、この位置規制リブによってカートリッジ収納ケースの開口の最も内側になる寸法、すなわちカートリッジを挟むことにより、位置規制リブ同士の間隔は、カートリッジの外形寸法よりも小さくなる場合が発生するものの、カートリッジと接する面積が小さいので、カートリッジを挿入する妨げになるほどの不具合は生じない。
【００１６】
【実施例】
以下、本発明によるカートリッジ収納ケースの実施例について、図１〜図１３を用いて説明する。
【００１７】
（実施例１）
まず、本発明の実施例のヒンジ式カートリッジ収納ケースと、リッド回動軸を有するカートリッジの場合について、図１〜図９を用いて説明する。図１は、本発明の実施例のヒンジ式カートリッジ収納ケースの蓋体を開放した状態、及びリッド回動軸を有するカートリッジを示す斜視図である。
【００１８】
前記カートリッジ収納ケース１は、本体２と蓋体３とがヒンジ部３５を介して折曲自在に連結された構成である。前記本体２と蓋体３及びヒンジ部３５は、熱可塑性合成樹脂により一体成形されている。この本体２及び蓋体３は、ヒンジ部３５により互いに重なるようになっている。そして、この本体２は、下面には底壁２３を設け、底壁２３の周囲にはヒンジ部と連なる一辺に向かい合う一辺に周壁２２を、ヒンジ部３５と周壁２２を除く二辺にはそれぞれ周壁２１とを設けてある。周壁２１には、それぞれの内面に本体２の内側方向へ突出した位置規制リブ２５が突設されている。周壁２１及び周壁２２は、カートリッジ収納ケースの内側へ傾倒した場合でも収納スペースが確保されるように、カートリッジの外形寸法よりも所定の距離だけ離れた位置に設けられており、更に周壁２１は、突設する位置規制リブの突出量も加味されている。一方、蓋体３は上面に上壁３１を設け、上壁３１の周囲にはヒンジ部３５と連なる一辺に周壁３３を設け、周壁３３に向かい合う一辺に周壁３４を、周壁３３及び周壁３４を除く二辺には、それぞれ周壁３２とを設けてある。周壁３２、周壁３３及び周壁３４は、カートリッジ収納ケースの内側へ傾倒した場合でもカートリッジの収納スペースが確保されるように、カートリッジの外形寸法よりも所定の距離だけ離れた位置に設けられている。ヒンジ部３５を折り曲げてカートリッジ収納ケース１を閉じた状態では、蓋体３の周壁３２及び周壁３４の外側が、本体２の周壁２１及び周壁２２の内側とそれぞれ対面するように構成されており、本体２の周壁２１の内側に設けられた一対の係合凸部２４と、蓋体３の周壁３２の外側に設けられた一対の係合凹部３６とが係合する。これにより閉じられたカートリッジ収納ケースが不用意に開くことが防止され、カートリッジの保護が確実となる。
【００１９】
カートリッジ４は、例えば記録媒体用カートリッジであって、磁気テープ（図示せず）などの記録媒体の表面に埃などの異物が付着したり、記録媒体そのものが損傷したりするのを防止するために、以下のような構造をしている。すなわち、磁気テープを巻装した一対のリール（図示せず）を収納するカートリッジ本体の前面に前面開口（図示せず）を有し、カートリッジ本体の底面には前面開口に接続された底面開口４９を設けており、磁気テープを前面開口に沿って掛け渡してある。更に、カートリッジ本体の両側壁４１に軸支されたリッド側壁４２が、カートリッジ本体の前面開口を覆うリッド前面壁４４の両側に設けられ、カートリッジ本体に対して回動自在に設けられている。このような記録媒体用カートリッジとしては、例えば、８ｍｍビデオカセットやＶＨＳカセットなどが知られている。カートリッジの側面図を、リッドが閉塞した状態を図２に示し、またリッドを開放した状態を図３に示す。図２に示すように、リッドが閉塞した状態において、磁気テープはリッド前面壁に覆われるが、図３に示すように、リッドがカートリッジ本体の上面側に回動されると、前面開口に沿って掛け渡された磁気テープが露呈される。また、リッド側壁４２の内側には、リッドの不用意な回動を防止するためのロック機構４５や、非使用時にリッドを閉方向へ保持するための付勢機構（図示せず）などが具備されている。
【００２０】
図１に示したカートリッジ収納ケース１にリッド回動軸を有するカートリッジ４が収納された状態を、第１の収納方向として、図４と図５を用いて説明する。すなわち、カートリッジ４の上下に関してはカートリッジ４の底面が本体２の底壁２３に対面し、且つカートリッジ４の前後に関してはカートリッジ４のリッド前面壁４４がカートリッジ収納ケース１のヒンジ部３５側を向いている場合の、本体２を周壁２１の方向から見た時の透視側面図を図４に示し、また、本体２の底壁２３の方向から見た時の透視側面図を図５に示す。この時、位置規制リブ２５がリッドの回動軸４３に対向する位置に配置されているので、カートリッジ収納ケース１にカートリッジ４を入れた状態でカートリッジ収納ケース１に落下などによる衝撃的な荷重が作用した場合に、リッドの回動軸４３に対向する位置規制リブ２５とカートリッジ本体の側壁４１に対向する位置規制リブ２５とに前記荷重が分散される。リッドの回動軸４３に対向する位置規制リブ２５は、回動軸を経由して荷重がカートリッジ本体へ有効に伝達され、荷重が一部分に集中することがない。また、リッド側壁４２の範囲の中でも、回動軸４３の部分は、その本来の構成目的からして、十分な強度が確保されており、且つ回動軸４３を含まない範囲のリッド側壁４２の内側が、スプリングなどでリッドを閉塞方向へ付勢する機構や、リッドの不用意な開放を防止するためのロック機構などを配置するための空間を有しているのとは対照的に、リッドとカートリッジ本体が密接しており、リッド側壁４２の変形や破壊を防止することが可能である。
【００２１】
図１に示したカートリッジ収納ケース１にリッド回動軸を有するカートリッジ４が収納された状態を、第２の収納方向として、図６と図７を用いて説明する。すなわち、カートリッジ４の上下に関してはカートリッジ４の底面が本体２の底壁２３に対面し、且つカートリッジ４の前後に関してはカートリッジ４のリッド前面壁４４がカートリッジ収納ケース１のヒンジ部３５とは反対側を向いている場合の、本体２の側壁２１の方向から見た時の透視側面図を図６に示し、また、本体２の底壁２３の方向から見た時の透視側面図を図７に示す。この時、前述の第１の収納方向（図４と図５）において、リッドの回動軸４３に対向する位置規制リブ２５と、カートリッジ本体の側壁４１に対向する位置規制リブ２５とが、それぞれ対向する相手（回動軸４３及び側壁４１）を入れ替えた状態になっているが、関連する部分の位置関係、すなわち、位置規制リブ２５と、回動軸４３と、リッド側壁及びカートリッジの側壁４１との位置関係が、第１の収納方向と同じであるので、リッド側壁４２やカートリッジの側壁４１及び位置規制リブ２５などの変形や破壊が防止されることに変わりはない。
【００２２】
図１に示したカートリッジ収納ケース１にリッド回動軸を有するカートリッジ４が収納された状態を、第３の収納方向として、図８と図９を用いて説明する。すなわち、カートリッジ４の上下に関してはカートリッジ４の底面が本体２の上壁３１に対面し、且つカートリッジ４の前後に関してはカートリッジ４のリッド前面壁４４がカ−トリッジ収納ケース１のヒンジ部３５側を向いている場合の、本体２の周壁２１の方向から見た時の透視側面図を図８に示し、また、本体２の底壁２３の方向から見た時の透視側面図を図９に示す。この時、前述の第１の収納方向（図４及び図５）において、カートリッジ４の上下を入れ替えた状態になっているが、関連する部分の位置関係、すなわち、位置規制リブ２５と、回動軸４３と、リッド側壁４２及びカートリッジの側壁４１との位置関係が、第１の収納方向と同じであるので、カートリッジ４やカートリッジ収納ケース１などの変形や破壊が防止されることに変わりはない。
【００２３】
図１に示したカートリッジ収納ケース１に、リッド回動軸を有するカートリッジ４が収納された状態を第４の収納方向として、カートリッジ４の上下に関してはカートリッジ４の底面が本体２の上壁３１に対面し、且つカートリッジ４の前後に関してはカートリッジ４のリッド前面壁４４が、カートリッジ収納ケース１のヒンジ部３５とは反対側を向いている場合についても、関連する部分の位置関係が第１から第３までの収納方向と同じであることは自明であるので、カートリッジ４やカートリッジ収納ケース１などの変形や破壊が防止される。然も、カートリッジ４をカートリッジ収納ケース１に収納可能な全ての収納方向に対して、同様の効果が得られるので、収納の際にその方向性を意識することなく取り扱うことが可能である。
【００２４】
（実施例２）
次に、本発明の実施例の回転開閉式カートリッジ収納ケースと、リッド回動軸を有するカートリッジの場合について、図１０を用いて説明する。なお、図１０は本発明の実施例の回転開閉式カートリッジ収納ケースの蓋体を開放した状態、及びリッド回動軸を有するカートリッジを示す斜視図である。なお、図１０に示す前記実施例１と同一類似部材については、同一符号を付して説明を省略する。
【００２５】
本実施例のカートリッジ収納ケース１は、本体２と蓋体３とが別体に形成されて、支軸部３７によって回動自在に連結された構成である。この本体２は、下面には底壁２３を設け、底壁２３の周囲には支軸部３７を構成する対面する２つの周壁２１と、底壁２３の周縁において周壁２１同士を繋げる周壁２２とを設けてある。周壁２１には、前記実施例１と同様に位置規制リブ２５が突設されている。蓋体３は上面に上壁３１を設け、上壁３１の周囲には一辺にカートリッジ４を収納するポケット３８を設け、ポケット３８の両端部にはそれぞれ周壁３２を設けてある。蓋体３は支軸部３７を中心に回動し、カートリッジ収納ケース１を閉じた状態では、蓋体３の周壁３２の外側が、本体２の周壁２１の内側とそれぞれ対面するように構成されており、本体２の周壁２１の内側に設けられた一対の係合凹部３６と、蓋体３の周壁３２の外側に設けられた一対の係合凸部２４とが係合して、閉じられたカートリッジ収納ケース１が不用意に開くことが防止され、カートリッジ４の保護が確実となる。
【００２６】
本実施例においても前記実施例１と同様に、リッド側壁４２に対向する位置規制リブ２５が、リッドの回動軸４３を含む位置に配置されているので、カートリッジ収納ケース１にカートリッジ４を入れた状態で、カートリッジ収納ケース１に落下などによる衝撃的な荷重が作用した場合でも、位置規制リブ２５の一本当たりに作用する荷重を減少させ、位置規制リブ２５自体や、連接する周壁２１あるいは底壁２３、及びリッド側壁４２や、カートリッジの側壁４１の変形や破壊を防止することが可能である。これにより、前記実施例１と同様の効果を得ることができる。
【００２７】
（実施例３）
次に、本発明の実施例の挿入式カートリッジ収納ケースと、リッド回動軸を有するカートリッジの場合について、図１１を用いて説明する。なお、図１１は本発明の実施例の挿入式カートリッジ収納ケース、及びリッド回動軸を有するカートリッジを示す斜視図である。なお、図１１に示す前記実施例１と同一類似部材については、同一符号を付して説明を省略する。
【００２８】
本実施例のカートリッジ収納ケース１は、略六面体の一面を挿入口３９として開口したブックケース型の本体２で構成され、この本体２は下面には底壁２３を、上面には上壁３１をそれぞれ設け、挿入口３９に対面する一辺に周壁３３を、挿入口３９及び周壁３３を除く二辺にそれぞれ周壁２１とを、底壁２３と上壁３１とを繋げるように設けてある。周壁２１には、前記実施例１と同様に位置規制リブ２５が、周壁３３の近傍で且つカートリッジ４の回動軸４３に対向する位置に突設されている。更に、前記実施例１及び実施例２と同様に、カートリッジ４の収納方向に対する自由度を確保するために、挿入口３９の近傍にも位置規制リブ２５を設けることが好ましい。これにより、前記実施例１及び前記実施例２と同様の効果を得ることができる。また、カートリッジ４の不用意な脱落（飛び出し）を防ぐために、挿入口３９を開閉する蓋体を挿入口３９に連接するように設けて、加えて蓋体の開閉を規制するロック機構などを設けることも可能である。
【００２９】
（実施例４）
次に、本発明の実施例のヒンジ式カートリッジ収納ケースと、リッド回動軸及び上蓋の摺動軸を有するカートリッジの場合について、図１２を用いて説明する。なお、図１２は本発明の実施例のヒンジ式カートリッジ収納ケースの蓋体を開放した状態、及びカートリッジ本体の前面側を回動軸で開閉自在としたリッドと摺動軸で摺動自在に設けられた上蓋を有する記録媒体カートリッジを示す斜視図である。
【００３０】
カートリッジ収納ケース１の構造は前記実施例１と同様であるが、カートリッジ４の形状やリッドの構造にあわせて、位置規制リブ２５をリッド回動軸４３及び／又は上蓋の摺動軸４８の位置に配置することで、前記実施例１から前記実施例３と同様の効果を得ることができる。カートリッジ４は、例えば記録媒体用カートリッジであって、前記実施例１におけるカートリッジ４と類似しているが、カートリッジ本体の前面側を回動軸で開閉自在としたリッドと摺動軸で摺動自在に設けられた上蓋を有しており、このような記録媒体用カートリッジとしては、例えば、デジタルビデオカセット（ＤＶＣ）などが知られている。
【００３１】
（実施例５）
次に、本発明の実施例のヒンジ式カートリッジ収納ケースと、カートリッジ本体の前面側を回動軸で開閉自在としたリッドと、カートリッジの底面及び側壁の一部を覆って摺動自在にカートリッジ底面を摺動する底面摺動体を有するカートリッジの場合について、図１３を用いて説明する。なお、図１３は本発明の実施例のヒンジ式カートリッジ収納ケースの蓋体を開放した状態、及びカートリッジ本体の前面側を回動軸で開閉自在としたリッドと、カートリッジの底面及び側壁の一部を覆って摺動自在にカートリッジ底面を摺動する底面摺動体を有するカートリッジを示す斜視図である。
【００３２】
カートリッジ収納ケース１の構造は前記実施例１と同様であるが、カートリッジ４の形状やリッドの構造にあわせて、位置規制リブ２５を回動軸の位置に配置することで、前記実施例１から前記実施例４と同様の効果を得ることができる。カートリッジ４は、例えば、記録媒体用カートリッジであって、前記実施例１におけるカートリッジ４と類似しているが、カートリッジ本体の前面開口を覆うリッドは、カートリッジ本体に対して回動自在に設けられており、更にカートリッジ底面を摺動する底面摺動体５０が、カートリッジ後方へ摺動することによって、リッドの回動が可能な状態となる。このような記録媒体用カートリッジとしては、例えば、ＤＡＴ（デジタルオーディオテープ）カセットなどが知られている。
【００３３】
前記各実施例では、磁気テープを用いた記録媒体用カートリッジのリッドの回動軸及び／又は上蓋の摺動軸に対向する位置に位置規制リブを配置した場合について説明したが、これに限らず、リブ形状ではない突起、例えば、半球状、円柱、多角柱、又は業務用記録媒体用カートリッジの場合にはケース内側にコ字状凸出部を設け前記回動軸及び前記摺動軸の両方に当接する面を有するものなどでも、前記実施例と同様の効果を得ることができる。前記実施例で説明した記録媒体用カートリッジとしては、ＤＡＴ（デジタルオーディオテープ）カセット、８ｍｍビデオカセット、テープ幅が１２．７ｍｍ〜１９．０５ｍｍのビデオカセットなどが該当するものである。また、回動軸を有するリッドと摺動自在の上蓋を有するカートリッジの場合は、その回動軸と摺動軸のいずれか一方あるいは両方に対向する位置に、カートリッジ収納ケースのリブを対向配置してもよい。
【００３４】
【発明の効果】
本発明は、リッド側壁又は上蓋側壁に対向するカートリッジ収納ケースの位置規制リブが、リッドの回動軸又は上蓋摺動軸に対向する位置に配置されているから、カートリッジ収納ケースが落下したときなどの荷重はリッドの回動軸又は摺動軸を経由してカートリッジ本体へ伝えられ、それによりカートリッジ収納ケースおよびカートリッジに与えられた荷重は分散されるので、リッド側壁あるいはカートリッジ収納ケースの変形や破壊を防止することができる。
【図面の簡単な説明】
【図１】本発明の実施例のヒンジ式カートリッジ収納ケースの蓋体を開放した状態、及びリッド回動軸を有するカートリッジを示す斜視図。
【図２】図１におけるカートリッジをリッドが閉塞した状態で示した側面図である。
【図３】図１におけるカートリッジをリッドが開放した状態で示した側面図である。
【図４】本発明の実施例のヒンジ式カートリッジ収納ケースをカートリッジが収納された状態で模式的に示した透視側面図であり、第１の収納方向として、カートリッジの上下に関してはカートリッジの底面がカートリッジ収納ケースの底壁に対面し、且つカートリッジの前後に関してはカートリッジのリッド前面壁がカートリッジ収納ケースのヒンジ部側を向いている。
【図５】本発明の実施例のヒンジ式カートリッジ収納ケースを示した図４の状態を、カートリッジ収納ケースの底壁方向から示した透視底面図である。
【図６】本発明の実施例のヒンジ式カートリッジ収納ケースをカートリッジが収納された状態で模式的に示した透視側面図であり、第２の収納方向として、カートリッジの上下に関してはカートリッジの底面がカートリッジ収納ケースの底壁に対面し、且つカートリッジの前後に関してはカートリッジのリッド前面壁がカートリッジ収納ケースのヒンジ部とは反対側を向いている。
【図７】本発明の実施例のヒンジ式カートリッジ収納ケースを示した図６の状態を、カートリッジ収納ケースの底壁方向から示した透視底面図である。
【図８】本発明の実施例のヒンジ式カートリッジ収納ケースをカートリッジが収納された状態で模式的に示した透視側面図であり、第３の収納方向として、カートリッジの上下に関してはカートリッジの底面がカートリッジ収納ケースの上壁に対面し、且つカートリッジの前後に関してはカートリッジのリッド前面壁がカートリッジ収納ケースのヒンジ部側を向いている。
【図９】本発明の実施例のヒンジ式カートリッジ収納ケースを示した図８の状態を、カートリッジ収納ケースの底壁方向から示した透視底面図である。
【図１０】本発明の実施例の回転開閉式カートリッジ収納ケースを開放した状態、及びリッド回動軸を有するカートリッジを示した斜視図である。
【図１１】本発明の実施例の挿入式カートリッジ収納ケース、及びリッド回動軸を有するカートリッジを示した斜視図である。
【図１２】本発明の実施例のヒンジ式カートリッジ収納ケースの蓋体を開放した状態、及びカートリッジ本体の前面側を回動軸で開閉自在としたリッドと摺動軸で摺動自在に設けられた上蓋を有するカートリッジを示す斜視図である。
【図１３】本発明の実施例のヒンジ式カートリッジ収納ケースの蓋体を開放した状態、及びカートリッジ本体の前面側を回動軸で開閉自在としたリッドと、カートリッジの底面及び側壁の一部を覆って摺動自在にカートリッジ底面を摺動する底面摺動体を有するカートリッジを示す斜視図である。
【図１４】従来のカートリッジ収納ケースをカートリッジが収納された状態で模式的に示した透視側面図であり、収納方向として、カートリッジの上下に関してはカートリッジの底面がカートリッジ収納ケースの底壁に対面し、且つカートリッジの前後に関してはカートリッジのリッド前面壁がカートリッジ収納ケースのヒンジ部側を向いている。
【図１５】従来のカートリッジ収納ケースをカートリッジが収納された様子を示した図１４の状態を、カートリッジ収納ケースの底壁方向から示した透視底面図である。
【符号の説明】
１  カートリッジ収納ケース
２  本体
２１、２２、２３  周壁
２４  係合凸部
２５  位置規制リブ
３  蓋体
３１  上壁
３２、３３、３４  周壁
３５  ヒンジ部
３６  係合凹部
３７  支持部
３８  ポケット
３９  挿入口
４  カートリッジ
４１  側壁
４２  リッド側壁
４３  回動軸
４４  リッド前面壁
４５  ロック機構
４６  空隙
４７  空間
４８  摺動軸
４９  底面開口
５０  底面摺動体
【図１】
0004384769.tif 000002
【図２】
0004384769.tif 000003
【図３】
0004384769.tif 000004
【図４】
0004384769.tif 000005
【図５】
0004384769.tif 000006
【図６】
0004384769.tif 000007
【図７】
0004384769.tif 000008
【図８】
0004384769.tif 000009
【図９】
0004384769.tif 000010
【図１０】
0004384769.tif 000011
【図１１】
0004384769.tif 000012
【図１２】
0004384769.tif 000013
【図１３】
0004384769.tif 000014
【図１４】
0004384769.tif 000015
【図１５】
0004384769.tif 000016